(57)【特許請求の範囲】
【請求項１】
自動販売機本体の上部には商品を収納する商品収納部、下部には前記商品収納部と断熱区画され冷却サイクルに接続された圧縮機と室外熱交換器と、前記圧縮機を運転制御する制御基板と漏電が発生した場合に自動的に電気を遮断する漏電ブレーカとを収納する電気部品収納部とを有する機械室を備え、前記機械室内で前記冷却サイクルと前記電気部品収納部は左右に区画配置された自動販売機であって、前記漏電ブレーカの操作部は前記電気部品収納部外で、前記操作部は各面間に隙間がない多面形状の樹脂製のカバー部材で覆われ、前記カバー部材に樹脂製の透明パネルを上下移動可能に保持し前記カバー部材前面を覆う樹脂製のカバー蓋部材をビスなどの別部品を使用せずに嵌め込み固定によって取り付け、通常、前記操作部の前面は前記透明パネルによって閉塞されており、前記操作部を操作するときは、前記透明パネルを上方にスライドさせて操作可能にしたことを特徴とする自動販売機。
【請求項２】
冷却サイクルの圧縮機に封入される冷媒は可燃性冷媒であることを特徴とする請求項１に記載の自動販売機。
【発明の詳細な説明】
【技術分野】
【０００１】
本発明は、缶・びん入り飲料商品などの商品を冷却する冷凍サイクルの冷媒として可燃性冷媒を使用した自動販売機の構造に関するものである。
【背景技術】
【０００２】
従来、この種の自動販売機は可燃性冷媒の漏れに対するリスクを低減し安全性を高めることが提案されている（例えば、特許文献１参照）。
【０００３】
図３は、特許文献１に記載された従来の自動販売機の電気部品収納部の周辺の構成図を示すものである。自動販売機の筺体は大きく３つに分割され、制御基板や漏電遮断機などの電気部品を収納する電気部品収納部１、販売商品を冷却、加温し保管する商品収納部、冷却ユニットなどを設置する機械室とからなる。
【０００４】
図４は、従来の自動販売機の電気部品収納部の斜視図を示すものである。可燃性冷媒が漏れた場合、操作部１６、たとえば漏洩遮断機などの着火源になりうる部品を外気から遮断するために、図に示すようにカバー部材２４により隔離している。カバー部材２４は操作部１６の操作が可能なように開閉でき、電気部品収納部１とは磁性体シート２６で密着させている。また、カバー部材２４は金属製でできている。
【特許文献１】特開２００４−２９５６１８号公報
【発明の開示】
【発明が解決しようとする課題】
【０００５】
しかしながら、金属製のカバー部材では曲げ加工により、隙間が存在し、完全に外気を遮断することはできない。また、磁性体シートによる密着については、密着させる相手側も金属製にしなければいけない。
【０００６】
本発明は、上記従来の課題を解決するもので、カバー部材の機密性を向上させることができる自動販売機を提供することを目的とする。
【課題を解決するための手段】
【０００７】
上記従来の課題を解決するために、本発明の自動販売機は、自動販売機本体の上部には商品を収納する商品収納部、下部には前記商品収納部と断熱区画され冷却サイクルに接続された圧縮機と室外熱交換器と、前記圧縮機を運転制御する制御基板と漏電が発生した場合に自動的に電気を遮断する漏電ブレーカとを収納する電気部品収納部とを有する機械室を備え、前記機械室内で前記冷却サイクルと前記電気部品収納部は左右に区画配置された自動販売機であって、前記漏電ブレーカの操作部は前記電気部品収納部外で、前記操作部は各面間に隙間がない多面形状の樹脂製のカバー部材で覆われ、前記カバー部材に樹脂製の透明パネルを上下移動可能に保持し前記カバー部材前面を覆う樹脂製のカバー蓋部材をビスなどの別部品を使用せずに嵌め込み固定によって取り付け、通常、前記操作部の前面
は前記透明パネルによって閉塞されており、前記操作部を操作するときは、前記透明パネルを上方にスライドさせて操作可能にしたのである。
【０００８】
これによって、漏洩冷媒が電気部品収納部内へ侵入するのを防止して、着火源となりうる漏洩遮断機などの電気部品と漏れた可燃性冷媒とを遮断できる。また、前記操作部を操作するときは、前記透明パネルを上方にスライドさせて操作可能にしたことにより、通常状態を閉塞状態に維持することができ、また、ビス等の固定忘れにより隙間が生じて、漏洩冷媒の侵入を許してしまうことを阻止し、また嵌め込み固定なので作業工数を低減し低コスト化を図りながら安全性を確保できる。
【発明の効果】
【０００９】
本発明の自動販売機は、漏洩冷媒が電気部品収納部内へ侵入するのを防止して、着火源となりうる漏洩遮断機などの電気部品と漏れた可燃性冷媒とを遮断できる。また、前記操作部を操作するときは、前記透明パネルを上方にスライドさせて操作可能にしたことにより、通常状態を閉塞状態に維持することができ、また、ビス等の固定忘れにより隙間が生じて、漏洩冷媒の侵入を許してしまうことを阻止し、また嵌め込み固定なので作業工数を低減し低コスト化を図りながら安全性を確保できる。そのため、安全な自動販売機とすることができる。
【発明を実施するための最良の形態】
【００１０】
請求項１に記載の発明は、
自動販売機本体の上部には商品を収納する商品収納部、下部には前記商品収納部と断熱区画され冷却サイクルに接続された圧縮機と室外熱交換器と、前記圧縮機を運転制御する制御基板と漏電が発生した場合に自動的に電気を遮断する漏電ブレーカとを収納する電気部品収納部とを有する機械室を備え、前記機械室内で前記冷却サイクルと前記電気部品収納部は左右に区画配置された自動販売機であって、前記漏電ブレーカの操作部は前記電気部品収納部外で、前記操作部は各面間に隙間がない多面形状の樹脂製のカバー部材で覆われ、前記カバー部材に樹脂製の透明パネルを上下移動可能に保持し前記カバー部材前面を覆う樹脂製のカバー蓋部材をビスなどの別部品を使用せずに嵌め込み固定によって取り付け、通常、前記操作部の前面は前記透明パネルによって閉塞されており、前記操作部を操作するときは、前記透明パネルを上方にスライドさせて操作可能にしたので、漏洩冷媒が電気部品収納部内へ侵入するのを防止して、着火源となりうる漏洩遮断機などの電気部品と漏れた可燃性冷媒とを遮断できる。また、前記操作部を操作するときは、前記透明パネルを上方にスライドさせて操作可能にしたことにより、通常状態を閉塞状態に維持することができ、また、ビス等の固定忘れにより隙間が生じて、漏洩冷媒の侵入を許してしまうことを阻止し、また嵌め込み固定なので作業工数を低減し低コスト化を図りながら安全性を確保できる。
【００１３】
請求項２に記載の発明は、請求項１に記載の発明にさらに、冷却サイクルの圧縮機に封入される冷媒は可燃性冷媒であり、防爆性を確保し安全性を高めることができる。
【００１４】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１５】
（実施の形態１）
図１は、本発明の実施の形態１における自動販売機の内部構成を示す正面図である。図２は同実施の形態の自動販売機の要部分解斜視図である。
【００１６】
図１において、自動販売機本体１０内は、上部に商品を収納する商品収納部１１と下部に商品収納部１１を冷却する機械室１２を備えている。商品収納部１１と機械室１２は断熱壁１３によって断熱区画されている。機械室１２には商品収納部内を冷却する冷却器（図示しない）に接続される圧縮機１４、室外熱交換器１５を有し、室外熱交換器１５を冷却する庫外ファン２１を備えている。また機械室１２内を左右に区画する区画壁１６ａによって電気部品収納部１７が形成され、電気部品収納部１７は金属性の箱形状となっており、内部には圧縮機１４を運転する基板や漏電ブレーカが収納されている。
【００１７】
また冷却サイクルを構成する圧縮機１４には自然冷媒である可燃性冷媒が封入されている。具体的にはプロパンやイソブタンが封入されている。
【００１８】
可燃性冷媒が封入されているので、冷却器（図示しない）周辺の商品収納部内で冷媒が漏れた場合は、収納部外へ冷媒を排気する構成が取られている。このため収納部外へ排気された可燃性冷媒は、空気より比重が大きいため、商品収納部よりも下方へ向かうため機械室１２周辺に滞留する虞がある。
【００１９】
このため庫外ファン２１を連続運転させて、機械室１２の後方へ冷媒を排気する構成となっている。
【００２０】
しかし、機械室１２内には電気部品収納部１７が併設しており、漏電ブレーカの接点などは電気部品収納部１７内にあるが、漏電ブレーカが働いた時に管理者が操作する操作部１７ａは電気部品収納部１７外にはみ出している。このため操作部１７ａの隙間を通って電気部品収納部１７内に漏れた冷媒が侵入すると、漏電ブレーカの接点などが着火源となって非常に危険である。
【００２１】
そして、この操作部１７ａはカバー部材１８で覆われており、具体的に、カバー部材１８は操作部１７ａの上面部１８ａ、下面部１８ｂ、両側面部１８ｃ、そして操作部１７ａを除く前面部１８ｄを形成し、各面部間に隙間がないように一体成形された樹脂製のカバー部材１８で構成されている。
【００２２】
そしてカバー部材１８の前面部１８ｄにはカバー蓋部材１９が取付けられ、カバー部材１８とカバー蓋部材１９の間には透明パネル２０が上下方向にスライド可能に構成されている。
【００２３】
具体的には、カバー蓋部材１９の両側部に複数の爪部１９ａが一体に構成されており、カバー部材１８の前面部１８ｄおよび両側面部１８ｃには、爪部１９ａと対応する位置に爪部１９ａを挿入固定する孔部１８ｅが形成されている。そして操作部１７ａに対応する位置に開口部１８ｆが形成されている。
【００２４】
またカバー蓋部材１９で開口部１８ｆに対応する位置には開口された操作開口部１９ｂが形成されている。
【００２５】
上記のように構成された自動販売機について、以下その動作、作用を説明する。
【００２６】
電気部品収納部１７の前面部に漏電ブレーカの操作部１７ａのみがむき出しで配置されており、基板などは電気部品収納部１７内に配置されている。操作部１７ａはカバー部材１８で覆われており、通常は透明パネル２０がカバー蓋部材１９の操作開口部１９ｂを自重で塞ぎ閉塞した状態で構成されている。
【００２７】
そして漏電ブレーカが働いて操作部１７ａがＯＦＦ状態になったときに利用者は透明パネル２０を指で上方へスライド移動させて操作部１７ａを操作しＯＮ状態にして通常の運転を再開できるように構成されている。
【００２８】
そして冷却システムの冷却器（図示しない）周辺で、可燃性冷媒が漏れ、空気より比重が重いため下方へ滞留し、電気部品収納部１７周辺に滞留したとしても、操作開口部１９ｂは、自重で下方へスライドした透明パネル２０で閉塞されているので、操作部１７ａを通じて電気部品収納部１７の内部へ冷媒が侵入するのを防止することができる。
【００２９】
またカバー部材１８は上面部１８ａ、下面部１８ｂ、両側面部１８ｃ、前面部１８ｄ間に隙間がなく樹脂で一体成形されているので、微小な隙間などから電気部品収納部１７内へ可燃性冷媒が侵入するのを防止することができ、接点部が着火源となって爆発するのを阻止することができる。
【００３０】
また電気部品収納部１７も樹脂で一体成形しているので、電気部品収納部１７の後方に回り込んだ可燃性冷媒も内部への侵入を防止することができる。
【００３１】
このように、電気部品収納部１７、カバー部材１８、カバー蓋部材１９そして透明パネル２０すべてを樹脂で成形し、それぞれの固定は嵌め込みによって固定されて、ビスは使用しないので、作業性を向上し、コスト面での低減も図ることができる。
【産業上の利用可能性】
【００３２】
以上のように、本発明にかかる自動販売機は、樹脂製によって電気部品収納部のカバー部材を構成しているので、内部への冷媒侵入を阻止し、防爆性を高めることができるので、可燃性冷媒を使用した自動販売機に適用することができる。
【図面の簡単な説明】
【００３３】
【図１】本発明の実施の形態１における自動販売機の内部構成を示す正面図
【図２】同実施の形態の自動販売機の要部分解斜視図
【図３】従来の自動販売機の電気部品収納部の周辺の概略図
【図４】従来の自動販売機の電気部品収納部を示す要部斜視図
【符号の説明】
【００３４】
１０  自動販売機本体
１１  商品収納部
１２  機械室
１４  圧縮機
２１  庫外ファン
１７  電気部品収納部
１８  カバー部材
１９  カバー蓋部材
２０  透明パネル
【図１】
0005206019.tif 000002
【図４】
0005206019.tif 000003
【図２】
0005206019.tif 000004
【図３】
0005206019.tif 000005